(57)【要約】  安定性を向上しつつ、操作性を向上するスケートボード用ハンドル及びハンドル付きスケートボードを提供すること。  板状のデッキ１１と、回転体であるウイールを有し、デッキ１１の一面に取り付けられる前輪部１２Ａ及び後輪部１２Ｂと、を備えるスケートボード１０に着脱可能なスケートボード用ハンドル２０であって、一端側が前輪部１２Ａ側のウイールの取り付け位置の近傍に着脱可能であり、デッキ１１の表面から所定の距離をあけてデッキ１１の前端側を挟み込んで取り付け可能に湾曲し、他端側が一端側の取り付け位置よりもデッキ１１の前端側に配置される略Ｕ字状の連結部材２１と、一端側が連結部材２１の他端側に固定される棒状のハンドル部２２と、を備える。
2018135632.tif 000002
【特許請求の範囲】
【請求項１】
板状のデッキと、
回転体であるウイールを有し、前記デッキの一面に取り付けられる前輪部及び後輪部と、を備えるスケートボードに着脱可能なスケートボード用ハンドルであって、
一端側が前記前輪部側の前記ウイールの取り付け位置の近傍に着脱可能であり、前記デッキの表面から所定の距離をあけて前記デッキの前端側を挟み込んで取り付け可能に湾曲し、他端側が一端側の取り付け位置よりも前記デッキの前端側に配置される略Ｕ字状の連結部材と、
一端側が前記連結部材の他端側に固定される棒状のハンドル部と、
を備えるスケートボード用ハンドル。
【請求項２】
前記後輪部に着脱可能であり、前記後輪部側の前記ウイールの回転を規制するブレーキ部を更に備え、
前記ハンドル部は、前記ブレーキ部を動作させるブレーキレバーを備え、
前記ブレーキ部は、前記ブレーキレバーが動作されることにより前記後輪部側の前記ウイールの回転に対する規制を解除する請求項１に記載のスケートボード用ハンドル。
【請求項３】
板状のデッキと、
回転体であるウイールを有し、前記デッキの一面に取り付けられる前輪部及び後輪部と、
一端側が前記前輪部側の前記ウイールの取り付け位置の近傍に固定され、前記デッキの表面から所定の距離をあけて前記デッキの前端側を挟み込むように湾曲し、他端側が一端側の固定位置よりも前記デッキの前端側に配置される略Ｕ字状の連結部材と、
一端側が前記連結部材の他端側に固定される棒状のハンドル部と、
を備えるハンドル付きスケートボード。
【発明の詳細な説明】
【技術分野】
【０００１】
本発明は、スケートボード用ハンドル及びハンドル付きスケートボードに関する。
【背景技術】
【０００２】
従来、スケートボードは、板（デッキ）に前輪及び後輪が取り付けられた構造となっている。一般的なスケートボードは、手でつかむ部分（ハンドル）を有しない。そのため、スケートボードは安定性が悪く、熟練した操作者でなければ乗りこなすことは困難であった。また、街乗り等では、周囲への衝突等が危惧されて、敬遠される傾向があった。【０００３】
そこで、スケートボードに対してハンドルを取り付けることにより、より安定性を増す試みがなされている。しかしながら、ハンドルの取り付け位置がデッキの前端側に寄り過ぎるとノーズダイブすることが考えられる。これに対して、前輪の方向を変えるためのハンドルを前輪の直上に取り付けたスケートボードが提案されている（例えば、特許文献１参照）。
【先行技術文献】
【特許文献】
【０００４】
【特許文献１】特開２００１−２５９１０８号公報
【発明の概要】
【発明が解決しようとする課題】
【０００５】
特許文献１において提案されたスケートボードによれば、デッキを貫通して前輪に取り付けられ、デッキから上方に伸びるハンドルが設けられている。これにより、初心者であっても容易にスケートボードを扱うことができる。また、街乗り等でも周囲に対して安全性の高い乗り物としてアピールすることができる。【０００６】
一方で、ハンドルの取り付け位置が前輪のウイール上にあるため、取り付けられたハンドルにより足を置く位置を確保することができない。そのため、通常のスケートボードと同様にデッキ上に乗ることができず、体重移動をデッキに伝えることができないため、操作性が悪くなることが考えられる。【０００７】
本発明は、安定性を向上しつつ、操作性を向上するスケートボード用ハンドル及びハンドル付きスケートボードを提供することを目的とする。
【課題を解決するための手段】
【０００８】
本発明は、板状のデッキと、回転体であるウイールを有し、前記デッキの一面に取り付けられる前輪部及び後輪部と、備えるスケートボードに着脱可能なスケートボード用ハンドルであって、一端側が前記前輪部側の前記ウイールの取り付け位置の近傍に着脱可能であり、前記デッキの表面から所定の距離をあけて前記デッキの前端側を挟み込んで取り付け可能に湾曲し、他端側が一端側の取り付け位置よりも前記デッキの前端側に配置される略Ｕ字状の連結部材と、一端側が前記連結部材の他端側に固定される棒状のハンドル部と、を備えるスケートボード用ハンドルに関する。【０００９】
また、スケートボード用ハンドルは、前記後輪部に着脱可能であり、前記後輪部側の前記ウイールの回転を規制するブレーキ部を更に備え、前記ハンドル部は、前記ブレーキ部を動作させるブレーキレバーを備え、前記ブレーキ部は、前記ブレーキレバーが動作されることにより前記後輪部側の前記ウイールの回転に対する規制を解除するのが好ましい。【００１０】
また、本発明は、板状のデッキと、回転体であるウイールを有し、前記デッキの一面に取り付けられる前輪部及び後輪部と、一端側が前記前輪部側の前記ウイールの取り付け位置の近傍に固定され、前記デッキの表面から所定の距離をあけて前記デッキの前端側を挟み込むように湾曲し、他端側が一端側の固定位置よりも前記デッキの前端側に配置される略Ｕ字状の連結部材と、一端側が前記連結部材の他端側に固定される棒状のハンドル部と、を備えるハンドル付きスケートボードに関する。
【発明の効果】
【００１１】
本発明によれば、安定性を向上しつつ、操作性を向上するスケートボード用ハンドル及びハンドル付きスケートボードを提供することができる。
【図面の簡単な説明】
【００１２】
【図１】本発明の第１実施形態に係るハンドル付きスケートボードを示す側面図である。
【図２】図１のＡ矢視図である。
【図３】図１のＢ矢視図である。
【図４】図１のＣ矢視図であり、一方の方向に方向転換する際のＣ矢視図である。
【図５】図１のＣ矢視図であり、他方の方向に方向転換する際のＣ矢視図である。
【図６】本発明の第２実施形態に係るハンドル付きスケートボードを示す側面図である。
【図７】図６のＤ矢視図である。
【図８】図６のＥ矢視図である。
【発明を実施するための形態】
【００１３】
以下、本発明に係るスケートボード用ハンドル及びハンドル付きスケートボードの各実施形態について図１〜図８を参照して説明する。
【００１４】
［第１実施形態］
まず、本発明に係るスケートボード用ハンドル及びハンドル付きスケートボードの第１実施形態について、図１〜図５を参照して説明する。
最初に、スケートボード１０について説明する。
スケートボード１０は、板体の一方の面に前輪及び後輪が取り付けられて構成される。具体的には、スケートボード１０は、図１に示すように、デッキ１１と、前輪部１２Ａと、後輪部１２Ｂと、を備える。
【００１５】
デッキ１１は、板状に形成される。デッキ１１は、進行方向Ｆを長さ方向として伸びる。デッキ１１は、足を置くことが可能な幅で形成される。なお、以下では、デッキ１１の面のうち、足を置く面が「表面」として説明される。また、以下では、「表面」とは逆の面が「裏面」として説明される。
【００１６】
前輪部１２Ａは、デッキ１１の一面（裏面）に取り付けられる。前輪部１２Ａは、デッキ１１の進行方向Ｆ側（前端側）に取り付けられる。
【００１７】
前輪部１２Ａは、ウイール１２１Ａと、ベースプレート１２２Ａと、ハンガー１２３Ａと、キングピン１２４Ａと、を備える。
【００１８】
ウイール１２１Ａは、円柱形状に形成された回転体である。ウイール１２１Ａは、軸方向をデッキ１１の幅方向に沿わせて一対配置される。
【００１９】
ベースプレート１２２Ａは、金属で形成される。ベースプレート１２２Ａは、図３に示すように、正面視矩形に形成される。また、ベースプレート１２２Ａは、幅方向中央部が長さ方向に沿って一方の面から凸状に突出して形成される。ベースプレート１２２Ａは、他方の面がデッキ１１の一方の面に対向した状態で固定される。ベースプレート１２２Ａは、幅方向中央部がデッキ１１の幅方向中央部に位置するように固定される。ベースプレート１２２Ａは、例えば、４つのボルト１２５Ａを用いてデッキ１１に固定される。
【００２０】
ハンガー１２３Ａは、金属で形成される。ハンガー１２３Ａは、略Ｔ字状に形成される。ハンガー１２３Ａは、両端のそれぞれにウイール１２１Ａを回転可能に保持する。また、ハンガー１２３Ａは、両端を結ぶ線に交差して突出する回転軸（図示せず）を有し、ベースプレート１２２Ａに回動可能に取り付けられる。
【００２１】
キングピン１２４Ａは、金属で形成される。キングピン１２４Ａは、いわゆるボルトであり、ハンガー１２３Ａをベースプレート１２２Ａに対して傾動可能に固定する。
【００２２】
後輪部１２Ｂは、デッキ１１の一面（裏面）に取り付けられる。後輪部１２Ｂは、デッキ１１の進行方向Ｆに対して逆側（後端側）に取り付けられる。
【００２３】
後輪部１２Ｂは、ウイール１２１Ｂと、ベースプレート１２２Ｂと、ハンガー１２３Ｂと、キングピン１２４Ｂと、を備える。後輪部１２Ｂは、前輪部１２Ａとは前後方向を逆側にして取り付けられる。ウイール１２１Ｂ、ベースプレート１２２Ｂ、ハンガー１２３Ｂ、及び、キングピン１２４Ｂの構成は、ウイール１２１Ａ、ベースプレート１２２Ａ、ハンガー１２３Ａ、及び、キングピン１２４Ａの構成と同様であるので説明を省略する。
【００２４】
以上のスケートボード１０によれば、幅方向一端側に体重を移動させることにより、ハンガー１２３Ａ，１２３Ｂに対して、デッキ１１、ベースプレート１２２Ａ，１２２Ｂ、及び、キングピン１２４Ａ，１２４Ｂが体重移動した側に傾く。即ち、ハンガー１２３Ａ，１２３Ｂは、キングピン１２４Ａ，１２４Ｂの傾倒により、回転軸（図示せず）を中心に回動する力を受ける。これにより、ハンガー１２３Ａ，１２３Ｂは、回転軸（図示せず）を中心に回動する。本実施形態において、ハンガー１２３Ａは、キングピン１２４Ａの傾倒により、一端側（デッキ１１の傾いた側）が進行方向Ｆ側とは逆側に回動し、他端側（デッキ１１の傾いた側とは逆側）が進行方向Ｆ側に回動する。逆に、ハンガー１２３Ｂは、キングピン１２４Ｂの傾倒により、一端側（デッキ１１の傾いた側）が進行方向Ｆ側に回動し、他端側（デッキ１１の傾いた側とは逆側）が進行方向Ｆ側とは逆側に回動する。これにより、スケートボード１０は、体重移動した側に曲がることができる。
【００２５】
ハンドル付きスケートボード１は、上記のスケートボード１０と、スケートボード用ハンドル２０と、を備える。
【００２６】
スケートボード用ハンドル２０は、スケートボード１０の前端側（進行方向Ｆ側）に取り付けられる。このスケートボード用ハンドル２０は、図１〜図３に示すように、連結部材２１と、ハンドル部２２と、を備える。
【００２７】
連結部材２１は、樹脂、金属（例えばアルミ合金）、又は強化プラスチックにより形成される。即ち、連結部材２１は、人の力により塑性変形しない程度の剛性のある部材により形成される。連結部材２１は、棒体や板体として形成される。この連結部材２１は、一端側が前輪部１２Ａ側のウイール１２１Ａの取り付け位置の近傍に着脱可能に形成される。また、連結部材２１は、略Ｕ字状に形成され、一端側が取り付けられた状態で、デッキ１１の表面から所定の距離を開けてデッキ１１の前端側を挟み込んで取り付け可能に湾曲する。即ち、連結部材２１は、一端側のみでスケートボード１０に接触する（一端側以外でデッキ１１に接触しない）ように構成される。そして、連結部材２１は、他端側が一端側の取り付け位置よりもデッキ１１の前端側に配置される。本実施形態では、この連結部材２１は、一対設けられ、それぞれがウイール１２１Ａの取り付け位置の両端に着脱可能になっている。また、本実施形態では、図１に示すように、連結部材２１の他端側のうち、デッキの表面側に折り返される部分は、他端側先端に向かうに従って、デッキの表面に接近する。
【００２８】
ここで、連結部材２１の一端側が取り付けられる前輪部１２Ａ側のウイール１２１Ａの取り付け位置の近傍とは、前輪部１２Ａのウイール１２１Ａの軸に一致する位置、及び軸に対してデッキ１１の後端側にあり、ウイール１２１Ａに近接する位置を意味する。即ち、前輪部１２Ａ側のウイール１２１Ａの取り付け位置の近傍とは、連結部材２１からデッキ１１に作用する力点を前輪部１２Ａのウイール１２１Ａに一致する位置、及びウイール１２１Ａよりもデッキ１１の後端側にあり、ウイール１２１Ａに近接する位置を意味する。
【００２９】
本実施形態において、連結部材２１は、一端側が前輪部１２Ａ側のベースプレート１２２Ａに着脱可能に構成される。例えば、連結部材２１は、クリップ（図示せず）を用いてボルト１２５Ａに取り付けられることにより、ベースプレート１２２Ａに着脱可能に構成される。
【００３０】
ハンドル部２２は、棒状に形成され、一端側が連結部材２１に固定される。このハンドル部２２は、棒体２２１と、固定体２２２と、把持部２２３と、を備える。
【００３１】
棒体２２１は、金属や強化プラスチック等の人の力により変形しない程度の剛性のある材料により形成される。棒体２２１は、人の背の高さに合わせた所定の長さで形成される。
【００３２】
固定体２２２は、金属や強化プラスチック等の人の力により変形しない程度の剛性のある材料により形成される。固定体２２２は、板状に形成される。固定体２２２は、一方の板面が棒体２２１の一端側に固定される。また、固定体２２２は、両端のそれぞれが、連結部材２１の他端側に固定される。本実施形態では、固定体２２２は、一方の板面の両端のそれぞれが、連結部材２１の他端側の下面側に固定される。
【００３３】
把持部２２３は、棒状に形成される。把持部２２３は、デッキ１１の幅方向に沿う方向に伸びて配置される。把持部２２３は、中央部が棒体２２１の他端側に固定される。
【００３４】
以上のハンドル付きスケートボード１は、以下のように動作する。
【００３５】
図４に示すように、方向Ｄ１に曲がる場合、把持部２２３及び棒体２２１が方向Ｄ１と同じ方向Ｓ１に傾けられる。方向Ｓ１側にある一方の連結部材２１は、固定体２２２を介して下方（ウイール１２１Ａに近づく方向）へ向かう力を受ける。一方の連結部材２１は、下方へ向かう力をベースプレート１２２Ａの幅方向一端側へ伝える。
【００３６】
方向Ｓ１側とは逆側にある他方の連結部材２１は、固定体２２２を介して上方（ウイール１２１Ａから離れる方向）へ向かう力を受ける。他方の連結部材２１は、上方へ向かう力をベースプレート１２２Ａの幅方向他端側へ伝える。これにより、ベースプレート１２２Ａは、傾けられ、デッキ１１も同様に傾けられる。従って、スケートボード用ハンドル２０は、傾けられた方向Ｓ１にスケートボード１０の進行方向Ｆを変更することができる。
【００３７】
図５に示すように、方向Ｄ２に曲がる場合、把持部２２３及び棒体２２１が方向Ｄ２と同じ方向Ｓ２に傾けられる。方向Ｓ２側にある他方の連結部材２１は、固定体２２２を介して下方（ウイール１２１Ａに近づく方向）へ向かう力を受ける。他方の連結部材２１は、下方へ向かう力をベースプレート１２２Ａの幅方向他端側へ伝える。
【００３８】
方向Ｓ２側とは逆側にある一方の連結部材２１は、固定体２２２を介して上方（ウイール１２１Ａから離れる方向）へ向かう力を受ける。一方の連結部材２１は、上方へ向かう力をベースプレート１２２Ａの幅方向一端側へ伝える。これにより、ベースプレート１２２Ａは、傾けられ、デッキ１１も同様に傾けられる。従って、スケートボード用ハンドル２０は、傾けられた方向Ｓ２にスケートボード１０の進行方向Ｆを変更することができる。
【００３９】
以上説明した第１実施形態のスケートボード用ハンドル２０及びハンドル付きスケートボード１によれば、以下のような効果を奏する。
スケートボード用ハンドル２０を、一端側が前輪部１２Ａ側のウイール１２１Ａの取り付け位置の近傍に着脱可能であり、デッキ１１の表面から所定の距離をあけてデッキ１１の前端側を挟み込んで取り付け可能に湾曲し、他端側が一端側の取り付け位置よりもデッキ１１の前端側に配置される略Ｕ字状の連結部材２１と、一端側が連結部材２１の他端側に固定される棒状のハンドル部２２と、を含んで構成した。
スケートボード用ハンドル２０を取り付けた状態でハンドル部２２を路面に対して傾けることにより、連結部材２１を介して傾きをデッキ１１に伝えることができる。デッキ１１がウイール１２１Ａに対して傾くことにより、ハンドル部２２を傾けた方向にスケートボード１０の進行方向Ｆを向けることができる。また、連結部材２１は、デッキ１１の前端側に接触せず、連結部材２１の一端側がウイール１２１Ａの取り付け位置の近傍に取り付けられるので、デッキ１１の前端側にはハンドル部２２を傾ける力が作用しない。これにより、デッキ１１の前端側に力が作用することによるデッキ１１のノーズダイブを抑制することができる。また、連結部材２１の他端側がウイール１２１Ａの取り付け位置よりも前端側に配置されているので、ウイール１２１Ａ上のデッキ１１に足を置くスペースを作ることができる。これにより、足による体重移動を用いてスケートボード１０の進行方向Ｆを制御することを阻害しない。また、ハンドル部２２を用いることによる安定性を向上しつつ、操作性を向上させることができ、初心者でも通常のスケートボード１０に近い感覚で扱うことができる。また、スケートボード１０に対してスケートボード用ハンドル２０を取り外すことにより、状況に応じてスケートボード１０の使用態様を容易に変更することができる。
【００４０】
［第２実施形態］
次に、本発明に係るスケートボード用ハンドル２０Ａ及びハンドル付きスケートボード１Ａの第２実施形態について図６〜図８を参照して説明する。第２実施形態の説明にあたって、同一構成要件については同一符号を付し、その説明を省略もしくは簡略化する。
第２実施形態に係るスケートボード用ハンドル２０Ａ及びハンドル付きスケートボード１Ａは、図６〜図８に示すように、連結部材２１Ａの形状が第１実施形態と異なる。第２実施形態に係るスケートボード用ハンドル２０Ａ及びハンドル付きスケートボード１Ａは、補強部材２３Ａを備える点で第１実施形態と異なる。第２実施形態に係るスケートボード用ハンドル２０Ａ及びハンドル付きスケートボード１Ａは、ハンドル部２２が固定部２２４Ａ及びブレーキレバー２２５Ａを備える点で第１実施形態と異なる。第２実施形態に係るスケートボード用ハンドル２０Ａ及びハンドル付きスケートボード１Ａは、ブレーキ部２４Ａを備える点で第１実施形態と異なる。
【００４１】
連結部材２１Ａの一端側は、図６及び図８に示すように、前輪部１２Ａを超えて、後輪部１２Ｂまで延伸される。連結部材２１Ａは、前輪部１２Ａのウイール１２１Ａの取り付け位置の近傍と、後輪部１２Ｂのウイール１２１Ｂの取り付け位置の近傍とに着脱可能に形成される。連結部材２１Ａの他端側は、人の足でデッキ１１の表面の前端部（例えば、位置Ｔ）に足を置くことが可能な距離をデッキ１１の表面から開けて、デッキ１１の先端側を挟み込んで取り付け可能に湾曲する。即ち、図６に示すように、連結部材２１Ａの他端側は、デッキ１１の表面との間に人の足のくるぶしよりも下側が進入可能な距離を開けて、デッキ１１の先端側を挟み込んで取り付け可能に湾曲する。また、連結部材２１Ａの他端側の先端は、進行方向Ｆにおいて、位置Ｔに足を置く人のすね又はひざに接触しない位置に配置される。即ち、連結部材２１Ａの他端側の先端は、図７に示すように、進行方向Ｆにおいて、位置Ｔに足を置く人のすね又はひざの位置よりも前方に配置される。
【００４２】
補強部材２３Ａは、例えば、板体である。本実施形態において、補強部材２３Ａは、一対に設けられる。一対の補強部材２３Ａは、連結部材２１Ａの他端側を幅方向（デッキ１１の表面に平行で進行方向Ｆに交差する方向）から挟み込むように配置される。一対の補強部材２３Ａの両端のそれぞれは、連結部材２１Ａの他端側の湾曲する側面の２点に連結される。これにより、一対の補強部材２３Ａのそれぞれは、湾曲する連結部材２１Ａの弦となる位置に配置される。
【００４３】
固定部２２４Ａは、把持部２２３に固定される。固定部２２４Ａは、把持部２２３の把持により後述するブレーキレバー２２５Ａに手をかけられる位置に固定される。
【００４４】
ブレーキレバー２２５Ａは、棒体である。ブレーキレバー２２５Ａは、固定部２２４Ａに軸止される。具体的には、ブレーキレバー２２５Ａは、把持部２２３の把持により手をかけられることにより、把持部２２３の方向に回動可能なように軸止される。
【００４５】
ブレーキ部２４Ａは、ハンドル部２２及び連結部材２１Ａに固定される。ブレーキ部２４Ａは、後輪部１２Ｂのウイール１２１Ｂに接触することで、後輪部１２Ｂのウイール１２１Ｂの回転を抑制するように構成される。このブレーキ部２４Ａは、ワイヤ２４１Ａと、ベース部２４２Ａと、を備える。
【００４６】
ワイヤ２４１Ａは、一端がブレーキレバー２２５Ａに接続される。また、ワイヤ２４１Ａは、他端が後述するばね部２４３Ａに接続される。
【００４７】
ベース部２４２Ａは、連結部材２１Ａに固定される。具体的には、ベース部２４２Ａは、連結部材２１Ａのうち、後輪部１２Ｂの側への着脱位置の近傍に固定される。本実施形態において、ベース部２４２Ａは、連結部材２１Ａが取り付けられた状態で後輪部１２Ｂのウイール１２１Ｂよりも前輪部１２Ａの側に位置するように連結部材２１Ａに固定される。ベース部２４２Ａは、ばね部２４３Ａと、シュー部２４４Ａと、を備える。
【００４８】
ばね部２４３Ａは、圧縮ばねである。ばね部２４３Ａは、ワイヤ２４１Ａの他端に接続される。
【００４９】
シュー部２４４Ａは、ばね部２４３Ａに接続される。シュー部２４４Ａは、後輪部１２Ｂのウイール１２１Ｂのそれぞれに接触する。本実施形態において、シュー部２４４Ａは、ばね部２４３Ａの圧縮力により、後輪部１２Ｂのウイール１２１Ｂの外周面を押圧する。
【００５０】
以上のブレーキ部２４によれば、ブレーキレバー２２５Ａは、把持部２２３を把持した人の指によって把持部２２３とともに把持される。ブレーキレバー２２５Ａは、把持部２２３を把持した人の指によって把持部２２３の側に回動されることで、ワイヤ２４１Ａを引っ張る。ワイヤ２４１Ａは、引っ張られることで、ばね部２４３Ａを圧縮する。ばね部２４３Ａは、圧縮されることでシュー部２４４Ａを動作させる。
【００５１】
具体的には、シュー部２４４Ａは、ばね部２４３Ａの圧縮によりばね部２４３Ａとともに進行方向Ｆの前方側（前輪部１２Ａの側）に移動する。これにより、シュー部２４４Ａは、後輪部１２Ｂのウイール１２１Ｂの外周面から離れる。従って、シュー部２４４Ａは、後輪部１２Ｂのウイール１２１Ｂの回転に対する規制を解除する。
【００５２】
一方、ブレーキレバー２２５Ａが把持から解除された場合（ブレーキレバー２２５Ａが動作されていない場合）、ワイヤ２４１Ａは、ブレーキレバー２２５Ａによる引っ張りから解除される。これにより、ばね部２４３Ａは、ワイヤ２４１Ａによる引っ張りから解除される。即ち、ばね部２４３Ａは、圧縮された状態からもとに戻る。
【００５３】
ばね部２４３Ａが圧縮された状態から元に戻ることで、シュー部２４４Ａは、後輪部１２Ｂのウイール１２１Ｂの外周面に押圧される。これにより、シュー部２４４Ａは、後輪部１２Ｂのウイール１２１Ｂの回転を規制する。即ち、ハンドル部２２から手を離した場合であっても、シュー部２４４Ａが後輪部１２Ｂのウイール１２１Ｂの回転を規制する。
【００５４】
以上説明した第２実施形態のスケートボード用ハンドル２０Ａ及びハンドル付きスケートボード１Ａによれば、上記効果に加え、更に以下のような効果を奏する。
連結部材２１Ａの他端側は、人の足でデッキ１１の表面の前端部（例えば、位置Ｔ）に足を置くことが可能な距離をデッキ１１の表面から開けて、デッキ１１の先端側を挟み込んで取り付け可能に湾曲する。これにより、デッキ１１の表面に足を置く際に、ハンドル部２２の存在に影響されずに、より先端側にも足を置くことができる。足を置けるスペースがより広がるので、より安定してハンドル付きスケートボード１Ａを操作することができる。また、連結部材２１Ａを補強する補強部材２３Ａを設けたので、連結部材２１Ａの強度をより強くすることができる。
【００５５】
また、ブレーキレバー２２５Ａが把持された上で回動されることで、シュー部２４４Ａは、後輪部１２Ｂのウイール１２１Ｂの回転の規制を解除する。また、ブレーキレバー２２５Ａが把持から解除された場合に、シュー部２４４Ａは、後輪部１２Ｂのウイール１２１Ｂの回転を規制する。これにより、スケートボード１０から離れた際に、スケートボード１０が意図せずに移動してしまうことを抑制できる。
【００５６】
以上、本発明のスケートボード用ハンドル及びハンドル付きスケートボードの好ましい各実施形態につき説明したが、本発明は、上述の実施形態に制限されるものではなく、適宜変更が可能である。
【００５７】
例えば、第１実施形態において、スケートボード用ハンドル２０をスケートボード１０に対して着脱可能としたが、これに制限されない。即ち、連結部材２１は、一端側のそれぞれが前輪部１２Ａ側のウイール１２１Ａの取り付け位置の両端に固定されていてもよい。また、第２実施形態においても同様に、連結部材２１Ａは、スケートボード１０に固定されてもよい。
【００５８】
この構成により、ハンドル部２２を傾けることにより、連結部材２１を介して傾きをデッキ１１に伝えることができる。デッキ１１がウイール１２１Ａに対して傾くことにより、ハンドル部２２を傾けた方向にスケートボード１０の進行方向Ｆを向けることができる。また、連結部材２１の他端側がウイール１２１Ａの固定位置よりも前端側に配置されているので、ウイール１２１Ａ上のデッキ１１に足を置くスペースを作ることができる。これにより、足による体重移動を用いてスケートボード１０の進行方向Ｆを制御することを阻害しない。また、ハンドル部２２を用いることによる安定性を向上しつつ、操作性を向上させることができ、初心者でも通常のスケートボード１０に近い感覚で扱うことができる。
【００５９】
また、第１実施形態においても、スケートボード用ハンドル２０及びハンドル付きスケートボード１は、ブレーキ部（図示せず）を更に備えてもよい。具体的には、スケートボード用ハンドル２０は、後輪部１２Ｂに着脱可能であり、後輪部１２Ｂ側のウイール１２１Ｂの回転を規制するブレーキ部を更に備えてもよい。そして、ハンドル部２２は、ブレーキ部を動作させるブレーキレバー（図示せず）を更に備えてもよい。
【００６０】
例えば、ブレーキ部は、後輪部１２Ｂのハンガー１２３Ｂの位置に取り付けられるベース部（図示せず）と、ベース部から延びるワイヤ（図示せず）と、を備えることができる。ベース部は、ハンガー１２３Ｂの位置に取り付けられるカバー部（図示せず）と、カバー部に収納され、ワイヤに取り付けられるばね部（図示せず）と、ばね部の一端に接続されるシュー部（図示せず）と、を備えることができる。
【００６１】
ばね部は、圧縮ばねであり、ウイール１２１Ｂに合わせて一対に設けられる。シュー部は、ウイール１２１Ｂの面のうち、一対のウイール１２１Ｂ同士が対向する面（内側面）に接触する。これにより、シュー部は、ウイール１２１Ｂの回転を規制する。
【００６２】
ワイヤは、一端側がばね部の他端に接続され、他端側がブレーキレバーに接続される。ブレーキレバーは、把持部２２３の位置に取り付けられる。
【００６３】
ブレーキレバーが動作されることにより、ワイヤがばね部を引っ張る。ばね部が引っ張られることにより、シュー部がウイール１２１Ｂから離れる。これにより、シュー部は、ウイール１２１Ｂの回転に対する規制を解除する。
【００６４】
一方、ブレーキレバーが動作されていない場合、ばね部は、シュー部をウイール１２１Ｂの内側面に押圧することにより、ウイール１２１Ｂの回転を規制する。これにより、ハンドルから手を離した場合であっても、ブレーキ部が後輪側のウイール１２１Ｂの回転を規制する。従って、スケートボード１０から離れた際に、スケートボード１０が意図せずに移動してしまうことを抑制できる。
【００６５】
また、上記実施形態において、ハンドル付きスケートボード１は、ウイール１２１Ａ，１２１Ｂの周面に取り付け可能であり、ウイール１２１Ａ，１２１Ｂよりも柔らかい材質で形成された保護部（図示せず）を備えてもよい。例えば、保護部は、弾性体であり、ウイール１２１Ａ，１２１Ｂの外周面を覆うことが可能なように構成されてもよい。具体的には、保護部は、ウイール１２１Ａ，１２１Ｂの幅と略同じ高さをもち、ウイール１２１Ａ，１２１Ｂと略同じ内径をもつ円筒状（環状）に構成されてよい。これにより、比較的硬いウイール１２１Ａ，１２１Ｂが地面に接触することにより発生する音や振動を保護部によって抑制することができる。従って、ハンドル部２２を用いて街乗り等をする際に、より扱いやすいハンドル付きスケートボード１を提供することができる。
【００６６】
また、第１実施形態において、連結部材２１を一対として説明したがこれに制限されない。例えば、連結部材２１を１又は複数の略Ｕ字状の部材により構成することができる。また、１つの連結部材２１の他端部を分岐させて構成することもできる。上記第２実施形態においても同様に、連結部材２１Ａを１又は複数の略Ｕ字状の部材により構成することができる。また、１つの連結部材２１Ａの他端部を分岐させて構成することもできる。
【００６７】
また、第１実施形態において、連結部材２１の一端側をベースプレート１２２Ａに取り付けるとしたが、これに制限されない。例えば、連結部材２１の一端側は、前輪部１２Ａのウイール１２１Ａの軸に対して後端側のデッキ１１の一面（前輪部１２Ａが取り付けられる面）に取り付けられてもよい。この場合であっても、連結部材２１は、スケートボードに作用する力点を前輪部１２Ａのウイール１２１Ａに対してデッキ１１の後端側にすることができるので、ノーズダイブを抑制することができる。
【００６８】
また、上記実施形態において、棒体２２１は、種々の角度で連結部材２１Ａに連結されてもよい。例えば、棒体２２１は、連結部材２１Ａへの連結位置から進行方向Ｆの前方側に傾斜して連結されてもよい。逆に、棒体２２１は、連結部材２１Ａへの連結位置から進行方向Ｆの後方側に傾斜して連結されてもよい。また、棒体２２１は、角度を変更した上で連結部材２１Ａに固定可能なように構成されてもよい。例えば、棒体２２１は、連結部材２１Ａへの連結位置で連結部材２１Ａに軸止されるとともに、任意の角度で固定（例えば、ボルト締めによる固定）可能であってもよい。
【符号の説明】
【００６９】
１，１Ａ  ハンドル付きスケートボード
１０  スケートボード
１１  デッキ
１２Ａ  前輪部
１２Ｂ  後輪部
２０，２０Ａ  スケートボード用ハンドル
２１，２１Ａ  連結部材
２２  ハンドル部
２４Ａ  ブレーキ部
１２１Ａ，１２１Ｂ  ウイール
２２５Ａ  ブレーキレバー
【図１】
2018135632.tif 000003
【図２】
2018135632.tif 000004
【図３】
2018135632.tif 000005
【図４】
2018135632.tif 000006
【図５】
2018135632.tif 000007
【図６】
2018135632.tif 000008
【図７】
2018135632.tif 000009
【図８】
2018135632.tif 000010
【国際調査報告】
2018135632.tif 000011
2018135632.tif 000012
2018135632.tif 000013
2018135632.tif 000014